(57)【要約】      （修正有）【課題】握りやすく、かつ、内部の液体を適量だけ流出させることが可能な液体等容器を提供する。【解決手段】長方形状の扁平な袋体１７の上端部又は上端側に、幅方向一方側で給水口形成部１９を設け、幅方向他方側で吸水口形成部２１を設ける。給水口形成部１９を、ミシン目２７に沿って切り離なすことにより給水口を形成し、吸水口形成部２１を、ミシン目３５に沿って切り離なすことにより吸水口を形成する。給水口形成部１９と吸水口形成部２１との間に天井部３７を形成しておく。【選択図】図１
2011016538.tif 000002
【特許請求の範囲】
【請求項１】
周縁部が全周にわたって閉塞された扁平な袋体の上端部に切り取り部を形成した液体等容器であって、
前記切り取り部は、幅方向一方側の流入口形成部と、幅方向他方側の流出口形成部と、を有し、
前記流入口形成部と前記流出口形成部との間には、天井部が形成されている、ことを特徴とする液体等容器。
【請求項２】
前記流入口形成部は、前記流出口形成部よりも幅が広く、かつ、前記流出口形成部よりも高さ方向に長く形成されている、ことを特徴とする請求項１記載の液体等容器。
【請求項３】
水溶性粉状うがい剤が封入されている、ことを特徴とする請求項１又は２記載の液体等容器。
【請求項４】
前記袋体には支持脚部が設けられ、
前記支持脚部は、前記袋体の一方の壁面部及び他方の壁面部に取り付けられた一対の取り付け部と、前記袋体の下端縁を跨いで前記取り付け部を一体的に連結する脚部本体と、を備え、
前記脚部本体は、前記取り付け部から前記袋体に沿って下側に延びる一対の側方支持部と、この一対の側方支持部の下端同士を一体的に連結する底面支持部と、を有していて、
前記底面支持部は、両端及び中央で上側に折り曲げられることにより扁平に折り畳まれていて、水平方向に延びるように変形させることにより、前記袋体を立たせて支持できるように構成されている、ことを特徴とする請求項１、２又は３記載の液体等容器。
【請求項５】
周縁部が全周にわたって閉塞された扁平な袋体の上端部に切り欠き部を形成した液体等容器であって、
前記切り欠き部は、幅方向一方側の流入口と、幅方向他方側の流出口と、を有し、
前記流入口と前記流出口との間には、天井部が形成されている、ことを特徴とする液体等容器。
【発明の詳細な説明】
【技術分野】
【０００１】
本発明は、例えば携帯に便利な、液体等容器に関する。
【背景技術】
【０００２】
新型ウィルスの感染拡大等に伴い、うがいや手洗いが個人的かつ効果的な予防策として推奨されているが、うがいや手洗いは、自宅に戻ってから行えばよいというものではなく、のどや手に多量の細菌が付着する機会があった場合などには、その都度、速やかに実行することが大切である。
したがって、公共のトイレや飲食店のトイレなどの水道水を使用できる場所を利用してうがいや手洗いを行うことになるが、ここでのうがいは、水道水を自分自身の手ですくって口に運ぶこととなるので、手に付着していた細菌などもいっしょに口の中に運ばれてしまい、うがいの効果が半減したり、かえって細菌感染のリスクを高めるおそれがある。
【０００３】
そこで、例えば特許文献１に記載されているようなコップが開発又は創作されている。
特許文献１に記載されたコップは、全周が閉塞された長方形の封筒状に形成されていて、上端側に切り取り用のミシン目が設けられ、内部にうがい薬が配置されているものである。
【先行技術文献】
【特許文献】
【０００４】
【特許文献１】実願昭６２−１５１６７１号明細書・図面
【発明の概要】
【発明が解決しようとする課題】
【０００５】
特許文献１に記載されたコップは、携帯用として利用することができ、うがいをしたい場合に、上端側をミシン目に沿って切り取って開口させ、上端開口部から水道水を内部に注いで使用するものである。水道水を内部に注ぐと、ある程度の水道水を内部に貯めておくことができるように、封筒状のコップは筒状に膨らむこととなる。
ところが、このコップは、上端部が全体的に切り取られて開口するため、どの方向にも容易につぶれたり膨らんだりすることができるものである。したがって、水道水の入ったコップを手で安定して保持するのが難しく、手の力の入れ方によっては、コップがある方向でつぶれてしまい、内部の水道水があふれてこぼれてしまったり、コップが手から滑り落ちてしまったりするおそれがある。特に、コップを口元へ運ぶ際に傾けて角度を変化させるのは難しく、内部の水道水がこぼれやすい。また、コップを口にあてがって水道水を口に含ませる場合には、上端部が全体的に開口しているため、しかも、安定してコップを保持できないことも原因となり、水道水が大量に流れ出て衣服などを濡らしてしまう場合も少なくない。
【０００６】
本発明は、こういった従来の問題を解決するためになされたもので、握りやすく、かつ、内部の液体等を適量だけ流出させることが可能な液体等容器の提供を目的としている。
【課題を解決するための手段】
【０００７】
この目的を達成するための本発明の液体等容器は、周縁部が全周にわたって閉塞された、あるいは開口部が閉塞された扁平な紙製又はプラスチック製等の袋体の上端部に切り取り部（切り取られるべき部分）を形成した液体等容器であって、前記切り取り部は、幅方向一方側の流入口形成部と、幅方向他方側の流出口形成部と、を有し、前記流入口形成部と前記流出口形成部との間には、天井部が形成されているといったものである。液体等容器は、流入口形成部と流出口形成部とを切り取り、幅方向一方側に流入口を形成し、幅方向他方側に流出口を形成して使用する。流入口から液体や粉体を液体等容器内に注ぎ又は供給し、流出口から液体等容器内の液体等を流出又は放出させて、例えば自身の口に流し込む。液体等容器は、幅方向両側が接近し、幅方向中央がそれぞれ、外側に膨らむように手で握る。液体等容器の膨らみは天井部によって規制される。すなわち、天井部が水平に開き始めることによって、液体等の流入中の形状変化がほぼ規制されるので、液体等容器が幅方向につぶれてしまうことはなく、液体等容器を安定して手で握って保持できる。天井部は両側の壁面部のブリッジとして機能する。また、流出口は天井部によって広がることが規制され、さらに、天井部によって液体等が堰き止められるので、大量の液体等が流れ出てしまうといったことはない。また、使用時に不要となる切り取り部を切り離すので容器内部がチリ・ホコリ等で汚れる心配がなく衛生的である。
【０００８】
流入口形成部は、流出口形成部よりも幅が広く、かつ、流出口形成部よりも高さ方向に長く形成されていることが好ましい。すなわち、流入口は流出口よりも深く、かつ、幅が広く形成されるのが得策である。このように形成することにより、液体等を液体等容器内に簡単かつ迅速に注ぎ込むことができるとともに、液体等をこぼすことなく、例えば自身の口に流し込むことができる。流出口は漏斗状の流出部の出口として形成できる。
【０００９】
本発明の液体等容器は、開口部が小さな別の容器（例えば小瓶）に、この別の容器の内容物、例えば液体、粉体あるいは粒体内容物を流し込む場合に利用することもできる。すなわち、流入口から別の容器の内容物を液体等容器に注ぎ込み、流出口から別の容器に内容物を流し込む。
【００１０】
液体等容器内には水溶性粉状うがい剤を封入しておくことができる。
【００１１】
例えば、携帯時には邪魔にならず、使用時には、液体等容器を立てた状態にしておくことができる支持脚部を袋体に設けておくと便利である。このような支持脚部は、袋体の一方の壁面部及び他方の壁面部に取り付けられた一対の取り付け部と、袋体の下端縁を跨いで取り付け部を一体的に連結する脚部本体と、を備えるように構成できる。脚部本体は、取り付け部から袋体に沿って、例えば下端縁まで、あるいは下端縁を越えるまで、下側に延びる一対の側方支持部と、一対の側方支持部の下端同士を一体的に連結する底面支持部と、を有するように形成できる。そして、底面支持部は、両端及び中央で上側に折り曲げられることにより扁平に折り畳まれていて、水平方向に延びるように変形（山形形状となる場合もある）させることにより、袋体を立たせて支持できるように構成できる。
【００１２】
本発明の液体等容器は、周縁部が全周にわたって閉塞された、あるいは開口部が閉塞された扁平な袋体の上端部に切り欠き部（切り欠かれた部分又は切り取られた部分）を形成した、あるいは切り欠き部を形成した形態の液体等容器であって、前記切り欠き部は、幅方向一方側の流入口と、幅方向他方側の流出口と、を有し、前記流入口と前記流出口との間には、予め天井部が形成されている状態のものとしても構成できる。ここでの液体等容器は、切り取り部（切り取られるべき部分）を形成した液体等容器から、流入口形成部と流出口形成部とを切り離すことにより構成される。このように、使用や保管条件により予め切り取り部を切除した形状の使途も予想される（図３参照）。
【発明の効果】
【００１３】
本発明の液体等容器は、携帯に適し、必要時に液体等を入れて使い勝手よく利用することができるものである。また、例えば保管するときやゴミとしてもかさばらないものである。
【図面の簡単な説明】
【００１４】
【図１】本発明に係る液体等容器である携帯用コップの正面図である。
【図２】携帯用コップの展開図である。
【図３】給水口形成部及び吸水口形成部を切り離した携帯用コップの正面図である。
【図４】携帯用コップに水道水を入れた状態を示す斜視図である。
【図５】携帯用コップを強く握った状態を示す図である。
【図６】携帯用コップから水道水を口に流し込む場合を示す斜視図である。
【図７】本発明に係る液体等容器である別の携帯用コップの正面図である。
【図８】本発明に係る液体等容器である他の携帯用コップの斜視図である。
【図９】支持脚部の斜視図である。
【図１０】他の携帯用コップを折り畳んだ状態を示す図である。
【図１１】支持脚部の変更例を示す図である。
【発明を実施するための形態】
【００１５】
以下、本発明の実施の形態を図面を参照して説明する。
【００１６】
図１は本発明に係る液体等容器である携帯用コップの正面図、図２は携帯用コップの展開図である。
【００１７】
携帯用コップ１は、長方形又は正方形の一枚のシート３を中央（図２の中心線５）で折り曲げ、中心線５の両側の上端縁７部分同士、側端縁９部分同士及び下端縁１１部分同士を接着（例えばヒートシール）して、表面側部（一方の壁面部）１３及び裏面側部（他方の壁面部）１５を有する長方形状の扁平な袋体１７を形成することにより構成されている。袋体１７は、外縁部(周縁部)全周が閉塞されて形成されている。あるいは、袋体１７は、開口部が閉塞され、その結果、外縁部(周縁部)全周が閉塞されたものである。携帯用コップ１又は袋体１７は、例えば名刺サイズ（容量３０乃至４０ｃｃ）又はポケットティッシュサイズ（容量６０ｃｃ）とすることができる。携帯用コップ１又は袋体１７には、内面にラミネート加工等の簡易防水加工を施した紙材を用いることができる。
【００１８】
携帯用コップ１では、長方形状の扁平な袋体１７の上端部又は上端側に、幅方向一方側で給水口形成部（流入口形成部）１９が設けられ、幅方向他方側で吸水口形成部（流出口形成部）２１が設けられている（図１）。給水口形成部１９は、袋体１７の上端縁７の幅方向中央から、袋体１７の高さのほぼ６分の１乃至５分の１の長さだけ真下に（側端縁９と平行に下側に）延びる第１のライン２３と、この第１のライン２３の下端から側端縁９まで下方に傾斜して延びる第２のライン２５（図２）と、に沿って、切り取り用のミシン目２７を表面側部１３及び裏面側部１５に同時に、あるいは表面側部１３及び裏面側部１５を貫通して形成することにより設けられている（図１）。ミシン目２７は、第１のライン２３と第２のライン２５との交点個所３８でアール（丸み）が付されていて、天井部３７の表面側部１３及び裏面側部１５との付け根が簡単に破れないようになっている。第２のライン２５は、幅方向他方側への延長線２９が、上端部の幅方向他方側の角３１を通過するように設定されている（図２）。また、吸水口形成部２１は、上端部の幅方向他方側の角部に、例えば角３１を中心又は基点とした円弧３３に沿って切り取り用のミシン目３５を表面側部１３及び裏面側部１５に同時に、あるいは表面側部１３及び裏面側部１５を貫通して形成することにより設けられている（図１及び図２）。円弧３３の半径は、第１のライン２３の長さの１／４から１／２に、あるいは第１のライン２３の長さの１／３に又は第２のライン２５の下端の高さの１／１０から１／１４に設定されている。例えば、袋体１７の幅は約５６ｍｍ、下端縁１１から第２のライン２５の下端までの高さは６０ｍｍ、円弧３３の半径は５ｍｍとすることができる。
【００１９】
携帯用コップ１の上端部には、給水口形成部１９と吸水口形成部２１との間に天井部３７が設けられていて、この天井部（ブリッジ）３７により、使用時の表面側部１３と裏面側部１５との膨らみが規制されることとなる。
【００２０】
図３は給水口形成部１９及び吸水口形成部２１を切り離した携帯用コップ１の正面図、図４は携帯用コップ１に水道水を入れた状態を示す斜視図である。
【００２１】
携帯用コップ１を使用するには、ミシン目２７に沿って給水口形成部１９を切り離すとともに、ミシン目３５に沿って吸水口形成部２１を切り離す。そして、給水口形成部１９を切り離すことにより形成された給水口３９から水道水を携帯用コップ１内に注ぎ込み（図４）、吸水口形成部２１を切り離すことにより形成された吸水口４１から水道水を口に流し込む（図６）。ここでは、例えば、携帯用コップ１を幅方向両側から軽く押すようにして手で持ち、水道水を注ぎ込みやすくするために、給水口３９あるいは上端開口（給水口３９、延長線２９に沿った部分及び吸水口４１の延長線２９との交点よりも下側の部分）を若干広げるようにしておくが、天井部３７の一端及び他端がそれぞれ、表面側部１３の上端開口２９及び裏面側部１５の上端開口２９に接続されているので、上端開口は、天井部３７の上端縁７を中心とした水平状態への伸びをともなって広がる。したがって、天井部３７により、携帯用コップ１の膨らみが規制されるので、携帯用コップ１を手で安定して保持できる。
【００２２】
図５は携帯用コップ１を強く握った状態を示す図である。
【００２３】
携帯用コップ１を強く握ると、天井部３７が上端縁７を中心としてほぼ伸びきった状態となる。したがって、よほど強く携帯用コップ１を握らない限り、携帯用コップ１がつぶれてしまうことはない。
【００２４】
図６は携帯用コップ１から水道水を口に流し込む場合を示す斜視図である。
【００２５】
吸水口４１は小さく、天井部３７によって広がることが防止され、しかも天井部３７によって水道水（液体）Ｗが堰き止められるので、あるいは、吸水口４１は、表面側部１３、裏面側部１５及び天井部３７から構成される漏斗状部の先端出口なので、一度に大量の水道水Ｗが流れ出てしまうといったことはない。使用後は、例えば、図３に示す状態に扁平に折り畳んで廃棄する。
【００２６】
図７は本発明に係る液体等容器である別の携帯用コップの正面図である。
【００２７】
別の携帯用コップ４３には水溶性粉状うがい剤４５が封入されている。したがって、携帯用コップ４３に水道水を注ぎ込むと、水道水に水溶性粉状うがい剤４５が溶けてうがい液ができあがる。なお、水溶性粉状うがい剤４５に洗口剤を混合しておくこともできる。その他の構成については携帯用コップ１と同様なので、同様の部分に同一の符号を付して説明を省略する。
【００２８】
なお、給水口形成部１９を供給口形成部１９とし、吸水口形成部２１を放出口形成部２１として、供給口形成部１９を切り離すことにより形成された供給口３９から別の容器の内容物を携帯容器１内に流し込み、放出口形成部２１を切り離すことにより形成された放出口４１から内容物を別の容器に流し込むことができる。
【００２９】
図８は本発明に係る液体等容器である他の携帯用コップの斜視図、図９は支持脚部の斜視図、図１０は他の携帯用コップを折り畳んだ状態を示す図である。
【００３０】
他の携帯用コップ４７は、携帯用コップ１に紙製（例えば厚紙製）又はプラスチック製等の支持脚部４９を取り付けることにより構成されている。支持脚部４９は、長方形状又は正方形状の一対の取り付け部５１、５１の幅方向両側を、脚部本体５３、５３で一体的に連結して構成されている。脚部本体５３は、袋体１７の下端縁１１を跨いで設けられている。それぞれの脚部本体５３は、両側の、上下方向に（下側に向かって外側に傾斜して上下方向に）伸びる側方支持部５５と、側方支持部５５の間で水平方向に延びるように（より具体的には、中央を頂点とする低い山形に）折り曲げられた底面支持部５７と、を有している。なお、底面支持部５７の中央には折り曲げ線部５９が形成されている。
このような構成の支持脚部４９の取り付け部５１、５１を、携帯用コップ１の表面側部１３及び裏面側部１５の下側に、例えば接着剤や両面テープで固定することにより、支持脚部４９を携帯用コップ１に取り付けておく。そうすると、図８に示すように、携帯用コップ１に水道水Ｗを入れて、例えばテーブル上に立てた状態にしておくことができる。この携帯用コップ４７は病人に薬や水を与える場合にも便利である。
なお、使用前には、図１０に示すように、底面支持部５７を、両端（側方支持部５５の下端）６１、６１及び中央の折り曲げ線部５９で上側に折り曲げておくことにより、携帯用コップ４７全体を扁平状態としておくことができる。支持脚部４９を折り畳んだときには、側方支持部５５の下端６１が、袋体１７の下端縁１１とほぼ一致して又は下端縁１１のやや下側に位置している。また、図１１に示すように、取り付け部５１から底面支持部５７に至る幅方向両外縁６３、６３が、下側に向かって漸次幅を広げるように形成するとともに、底面支持部５７の幅方向外縁６５、６５が、中央に向かって両側から直線状にくぼむように形成しておいてもよい。
【産業上の利用可能性】
【００３１】
本発明の液体等容器は、携帯し、必要時に簡単に、例えばうがい用として利用することができるし、専用供給ＢＯＸなどから供給することができる、さらに、広告媒体としての利用も可能である。
【符号の説明】
【００３２】
１、４３            携帯用コップ（液体等容器）  
１７                袋体  
１９                給水口形成部（流入口形成部）
２１                吸水口形成部（流出口形成部）
３７                天井部
【図１】
2011016538.tif 000003
【図２】
2011016538.tif 000004
【図３】
2011016538.tif 000005
【図４】
2011016538.tif 000006
【図５】
2011016538.tif 000007
【図６】
2011016538.tif 000008
【図７】
2011016538.tif 000009
【図８】
2011016538.tif 000010
【図９】
2011016538.tif 000011
【図１０】
2011016538.tif 000012
【図１１】
2011016538.tif 000013